(57)【特許請求の範囲】
【請求項１】
第１筐体と第２筐体とを皿ネジによって固定する皿ネジ防水締結構造において、
前記第１筐体は、
前記皿ネジの頭部上端の直径より広い直径を有する円筒状の凹部と、
前記凹部の底部に設けられ、前記皿ネジの頭部の厚さより薄く、前記皿ネジの頭部上端の直径より狭い直径を有するテーパ状の皿モミ部と、を具備することを特徴とする皿ネジ防水締結構造。
【請求項２】
請求項１に記載の皿ネジ防水締結構造において、
前記第１筐体は、前記凹部の内部で前記皿モミ部の外側に円環状のゴムパッキンを具備することを特徴とする皿ネジ防水締結構造。
【請求項３】
請求項１または２に記載の皿ネジ防水締結構造を有した電子機器。
【発明の詳細な説明】
【技術分野】
【０００１】
本発明は、皿ネジ防水締結構造に係り、より詳細には、第１筐体の貫通孔に皿モミ部を有して挿入する皿ネジによって、この第１筐体を第２筐体に固定して防水機能を持たせる皿ネジ防水締結構造に関する。
【背景技術】
【０００２】
従来、皿ネジ防水締結構造は、無線機、オーディオ機器、その他の電子機器などの機器において、例えば、アルミダイキャストからなる第１筐体に、外装パネルの第２筐体を固定する場合によく採用され、このような第１筐体と第２筐体とを組み立てる際には、一般的に防水機能を持つように皿ネジが多く使用されており、特に、この皿ネジの頭部形状を変えたりゴムパッキン等を用いたりすることで、ネジ締めを十分に行い防水機能を向上させる皿ネジ構造がよく知られていた（例えば、特許文献１参照。）。
【特許文献１】実公昭３８−４８１５号公報  前述した構造による実施の形態を、図４および図５を参照して説明する。図４は、このようなゴムパッキンを備える皿ネジ構造を有した従来の皿ネジ防水締結構造の一実施形態を示す構成図である。また、図５は、図４に示した第１筐体６０と第２筐体７０とがズレたときに皿ネジ５０を傾けて締結した状態を示す図である。
【０００３】
図４に示すように、従来の皿ネジ防水締結構造の一実施形態は、例えば、車載用の無線機などに採用され、外装パネル等の第１筐体６０を有し、この第１筐体６０の貫通孔６４に皿モミ部６６を有して挿入する皿ネジ５０により、当該第１筐体６０をアルミダイキャスト等からなる第２筐体７０に固定することで筐体全体の防水効果が得られる締結構造に形成している。ここで、第２筐体７０には、皿ネジ５０が締結するためのネジ孔７２を形成しており、第１筐体６０を皿ネジ５０の締結によって固定できるように形成している。また、皿ネジ５０は、頭部５２下側のテーパ面の全周と、ほぼ全幅とにわたって、同一厚さの合成ゴム材料からなるゴムパッキン５４を固着している。このゴムパッキン５４の固着は、その加硫時において頭部５２に接着剤により焼付している。従って、このような構成からなる従来の皿ネジ防水締結構造の一実施形態では、この皿ネジ５０を第１筐体６０の貫通孔６４を介して第２筐体７０のネジ孔７２に締結することにより、このゴムパッキン５４による液密を、頭部５２とこれが嵌合する皿モミ部６６との間に形成できるように設けている。
【０００４】
しかしながら、従来の皿ネジ防水締結構造では、図５に示すように、第１筐体６０の貫通孔（図４参照）６４と第２筐体７０のネジ孔７２とがズレると、皿ネジ５０が傾いて挿入され、ネジ締めの際に、図５に示した皿ネジ５０の頭部５２の上側Ｂが第１筐体６０の皿モミ部６６に当接して引っかかり、ネジ締めが不十分となってしまう。
また、従来の皿ネジ防水締結構造では、前述したようにネジ締めが不十分になると、皿ネジ５０のテーパ状の頭部５２と、皿モミ部６６との間に隙間が生じてしまい、ゴムパッキン５４を設けても十分な防水構造とならない。
さらに、従来の皿ネジ防水締結構造では、皿ネジ５０の頭部５２にゴムパッキン５４を設ける構造のため、複雑な構造で製造が難しく部品コストがかかり、結果的に装置全体のコストが高くなってしまう。
【発明の開示】
【発明が解決しようとする課題】
【０００５】
このように、従来の皿ネジ防水締結構造は、図５に示したように第１筐体６０と第２筐体７０とがズレると、皿ネジ５０が傾いて挿入され、ネジ締めの際に、皿ネジ５０の頭部５２上側Ｂが第１筐体６０の皿モミ部６６に当接し、ネジ締めが不十分になるという不具合があった。
また、従来の皿ネジ防水締結構造は、ネジ締めが不十分になると、頭部５２と皿モミ部６６との間に隙間が生じて、ゴムパッキン５４を設けても不十分な防水構造になるという不具合があった。
さらに、従来の皿ネジ防水締結構造では、皿ネジ５０の頭部５２にゴムパッキン５４を設ける構造のため、複雑な構造で製造が難しく部品コストがかかり、結果的に装置全体のコストが高くなるという不具合があった。
【０００６】
本発明は上記の点に鑑みなされたもので、その目的は、ネジ締めを十分に行えて優れた防水構造が得られ、且つ、簡単な構造で部品コストを低減できる皿ネジ防水締結構造を提供することにある。
【課題を解決するための手段】
【０００７】
本発明は上述した課題を解決するために、第１筐体の貫通孔に皿モミ部を有して挿入する皿ネジによって第１筐体を第２筐体に固定して防水機能を持たせる皿ネジ防水締結構造であって、この第１筐体に皿ネジの頭部より広く凹状に切り欠いて底部の厚みを薄くした凹部を設け、この凹部内に皿ネジを挿入する貫通孔及び皿モミ部を設ける。
【０００８】
ここで、凹部は、深さを調節して底部の厚みを薄くして貫通孔及び皿モミ部を設けることにより、この皿モミ部に皿ネジのテーパ状に広がる頭部の下側が当接して押圧するように設けるとともに、当該頭部の上側は第１筐体と第２筐体とのズレにより皿ネジが貫通孔に傾いて挿入されて締結しても凹状内の周囲に当接しないように深さを調節することが好ましい。また、第１筐体の凹部内は、皿モミ部の外側に円環状のゴムパッキンを介在させることで、皿ネジの締結時に頭部のテーパがゴムパッキンを押圧して更なる防水機能を高めることが好ましい。
【発明の効果】
【０００９】
以上、本発明による皿ネジ防水締結構造によれば、凹部内の厚みを薄くした底部に皿モミ部を設けているため、第１筐体と第２筐体とがズレて皿ネジが傾いて挿入されても、この皿ネジの頭部の上側は凹部内に当接せず引っ掛かることもなく、且つ、頭部の下側が皿モミ部の狭い範囲で当接して強い力で押圧するため、ネジ締めが十分になり第１筐体と第２筐体とのズレを同時に位置合わせすることができる。
また、本発明による皿ネジ防水締結構造によれば、前述したネジ締めが十分になり第１筐体と第２筐体とのズレを位置合わせするため、皿ネジの頭部と第１筐体の皿モミ部とが確実に密着して、十分な防水構造を得ることができ、防水性能を向上することができる。
また、本発明による皿ネジ防水締結構造によれば、従来技術でのゴムパッキンを用いた特殊な皿ネジではなく、通常規格による皿ネジで十分な締結及び防水効果を得ることができるため、部品コストを大幅に削減でき、結果的に装置全体のコストを低減することができる。
【発明を実施するための最良の形態】
【００１０】
次に、添付図面を参照して本発明による皿ネジ防水締結構造の実施の形態を詳細に説明する。図１は、本発明による皿ネジ防水締結構造の一実施形態を示す構成図である。また、図２は、図１に示した第１筐体２０と第２筐体３０とがズレたときの皿ネジ１０の締結動作を示す動作説明図であり、図２（ａ）は締結前の状態を、図２（ｂ）は締結途中の状態を、図２（ｃ）は締結後の状態を各々示している。また、図３は、本発明による皿ネジ防水締結構造の他の実施形態を示す構成図である。
【実施例１】
【００１１】
図１に示すように、本発明による皿ネジ防水締結構造の一実施形態は、図４に示した従来技術と同様に、車載用の無線機などに採用され、外装パネル等の第１筐体２０を有し、この第１筐体２０の貫通孔２４に皿モミ２６を有して挿入する皿ネジ１０により、当該第１筐体２０をアルミダイキャスト等からなる第２筐体３０に固定することで、筐体全体の防水効果が得られる締結構造に形成している。また、第２筐体３０には、皿ネジ１０が締結するためのネジ孔３２を形成しており、第１筐体２０を皿ネジ１０の締結により固定できるように形成されている。
【００１２】
ここで、本実施の形態では、図４に示した従来技術の特殊な皿ネジとは異なり、通常の規格からなる皿ネジ１０を使用可能としており、従来技術のように頭部にゴムパッキンを設ける必要がなく、簡単な構造で部品コストを削減し、結果的に装置全体のコストを低減するように形成されている。そして、本実施の形態では、この通常規格の皿ネジ１０を使用して十分なネジ締め及び優れた防水効果が得られるように、従来技術とは異なって第１筐体２０の皿モミ部２６の構造を変えて対応している。詳しく説明すると、第１筐体２０は、皿ネジ１０の頭部１２より広く凹状に切り欠いて底部の厚みを薄くした凹部２２を設けており、この凹部２２内に皿ネジ１０を挿入する貫通孔２４及び皿モミ部２６を設けている。この凹部２２は、深さを調節して底部の厚みを薄くして貫通孔２４及び皿モミ部２６を設けているため、この皿モミ部２６に皿ネジ１０のテーパ状に広がる頭部１２の下側のみが当接して押圧（図２（ｃ）参照）するように設けている。即ち、本実施の形態では、図１に示した第１筐体２０に深さを調節して底部の厚みを薄く形成した凹部２２を設け、この凹部２２の薄い底部に皿モミ部２６を形成しているため、図４に示した従来技術のように皿ネジの頭部の高さ全てが嵌入してしまう皿モミ部ではなく、皿ネジ１０の頭部１２下側のみが嵌入して当接する皿モミ部２６に形成している。この際、図１に示した皿モミ部２６は、第１筐体２０の凹部２２の深さを調節して、好ましくは皿ネジ１０の頭部１２の高さに対しほぼ半分程度の厚みの底部に形成することが望ましく、これにより第１筐体２０と第２筐体３０とのズレにより皿ネジ１０が貫通孔２４に傾いて挿入されも、皿ネジ１０の頭部１２上側が、凹部２２内の周囲に当接して引っ引っ掛からないように調節することができる。また、本実施の形態では、皿ネジ１０の頭部１２が当接する皿モミ部２６の接触面積が狭く形成しているため、同じネジ締めを行った場合でも、より強い力を第１筐体２０に加えることができ、且つ、第１筐体２０と第２筐体３０とがズレていた場合でも筐体同士の位置を合わせることができ、ネジ締めを十分に行え、優れた防水効果を得ることができる。
【００１３】
次に、このように形成された本発明による皿ネジ防水締結構造の一実施形態を用いて、第１筐体２０を皿ネジ１０によって第２筐体３０に取り付ける動作を詳細に説明する。この際、第１筐体２０と第２筐体３０とがズレていない場合と、ズレていた場合とに分けて各々説明する。まず、第１筐体２０と第２筐体３０とがズレていない場合は、図１に示したように、皿ネジ１０が第１筐体２０の貫通孔２４を介して傾くことなく第２筐体３０のネジ孔３２に挿入され、皿ネジ１０の頭部１２を所定の工具により回転させて締結することにより第１筐体２０を第２筐体３０に防水構造を備えた状態（図２（ｃ）参照）に取り付けることができる。
【００１４】
一方、第１筐体２０と第２筐体３０とがズレていた場合は、図２（ａ）に示すように、第１筐体２０の貫通孔２４と第２筐体３０のネジ孔３２とが合わず、このズレた両方の孔に皿ネジ１０が傾いた状態で挿入される。そして、この皿ネジ１０は、傾いた状態で頭部１２を所定の工具により回転させることで、図２（ｂ）に示すように、第２筐体３０のネジ孔３２に傾いた状態のまま、頭部１２が皿モミ部２６に当接するまで締結される。この際、皿ネジ１０は、図２（ｂ）に示したように、凹部２２の薄い底部の皿モミ部２６により、頭部１２の上側Ａは凹部２２内の周囲に当接して引っ掛かることがなく、且つ、頭部１２の下側が皿モミ部２６に密着して確実に押圧するまで締結できることが分かる。よって、皿ネジ１０は、第２筐体３０に締結することで頭部１２が皿モミ部２６まで降下して頭部１２下側で当接及び押圧し、これにより第２筐体３０に対してズレていた第１筐体２０を位置合わせするとともに、この頭部１２下側が押圧しながら皿モミ部２６に嵌入することで同時に傾きも修正される。従って、皿ネジ１０は、図２（ｃ）に示すように、第１筐体２０の皿モミ部２６で局部的に強く密着した状態で締結され、ネジ締めの工程を変えずに従来技術よりも優れたネジ締め及び防水性能を得ることが出来る。
【００１５】
以上、本発明による皿ネジ防水締結構造の一実施形態によると、凹部２２内の厚みを薄くした底部に皿モミ部２６を設けているため、第１筐体２０と第２筐体３０とがズレて皿ネジ１０が傾いて挿入されても、図２（ｂ）に示した皿ネジ１０の頭部１２の上側Ａは凹部２２内に当接せず引っ掛かることもなく、且つ、頭部１２の下側が皿モミ部２６の狭い範囲に当接して強い力で押圧するため、ネジ締めが十分に行えて第１筐体２０と第２筐体３０とのズレを同時に位置合わせすることができる。
また、本実施の形態によると、前述したネジ締めが十分になり第１筐体２０と第２筐体３０とのズレを位置合わせするため、皿ネジ１０の頭部１２と第１筐体２０の皿モミ部２６とが確実に密着して、十分な防水構造を得ることができ、防水性能を向上することができる。
さらに、本実施の形態によると、従来技術でのゴムパッキンを用いた特殊な皿ネジではなく、通常規格による皿ネジ１０で十分な締結及び防水効果を得ることができるため、部品コストを大幅に削減でき、結果的に装置全体のコストを低減することができる。
【実施例２】
【００１６】
次に、図３を参照して、本発明による皿ネジ防水締結構造の他の実施の形態を詳細に説明する。尚、図３に示した皿ネジ防水締結構造は、ゴムパッキン４０以外、全て図１に示した皿ネジ防水締結構造と同様の構成要素であり、同一の構成要素には同じ符号を記載するとともに、重複する説明は省略する。
図３に示すように、本発明による皿ネジ防水締結構造の他の実施形態は、図１に示した皿ネジ防水締結構造と同様に、第１筐体２０の貫通孔２４に皿モミ部２６を有して挿入する皿ネジ１０によって第１筐体２０を第２筐体３０に固定して防水機能を持たせるとともに、この第１筐体２０に皿ネジ１０の頭部１２より広く凹状に切り欠いて底部の厚みを薄くした凹部２２を設け、この凹部２２内に皿ネジ１０を挿入する貫通孔２４及び皿モミ部２６を設けている。
【００１７】
ここで、第１筐体２０の凹部２２内には、図１に示した皿ネジ防水締結構造とは異なり、皿モミ部２６の外側に円環状のゴムパッキン４０を介在させることで、皿ネジ１０の締結時に頭部１２のテーパがゴムパッキン４０を押圧して更なる防水機能を高めるように設けている。このような本発明による皿ネジ防水締結構造の他の実施形態では、第１筐体２０の皿モミ部２６により皿ネジ１０の締結位置が決まり、皿ネジ１０を締めてもゴムパッキン４０を潰し過ぎることがないため、特殊な頭部を有した皿ネジを使用する必要が無く、優れた防水効果を得ることができる。
【００１８】
このように、本発明による皿ネジ防水締結構造の他の実施形態によると、図３に示したゴムパッキン４０以外、全て図１に示した実施形態と同様の構成であるため、図１に示した皿ネジ防水締結構造と同様の効果を得ることができ、且つ、ゴムパッキン４０を設けることで図１に示した実施形態に比べて、より優れた防水性能を得ることができる。
【００１９】
以上、本発明による皿ネジ防水締結構造の実施の形態を詳細に説明したが、本発明は前述した実施の形態に限定されるものではなく、その要旨を逸脱しない範囲で変更可能である。
例えば、外装パネルに貫通孔及び皿モミ部を備える第１筐体と、アルミダイキャストからなりネジ孔を備えた第２筐体とを備えた実施の形態を説明したが、これに限定されるものではなく、例えば、アルミダイキャストからなる第１筐体に貫通孔及び皿モミ部を備え、外装パネルの第２筐体にネジ孔を備えてもよい。この第１筐体または第２筐体は、アルミダイキャストなどの材質に限定されず、例えば、第１筐体または第２筐体のいずれか一方或いは両方が樹脂成形した筐体でもよい。
また、車載用の無線機に採用した実施の形態を説明したが、これに限定されるものではなく、オーディオ機器や、その他の電子機器に採用することも可能である。
【図面の簡単な説明】
【００２０】
【図１】本発明による皿ネジ防水締結構造の一実施形態を示す構成図。（実施例１）
【図２】図１に示した第１筐体と第２筐体とがズレたときの皿ネジの締結動作を示す動作説明図。
【図３】本発明による皿ネジ防水締結構造の他の実施形態を示す構成図。（実施例２）
【図４】従来の皿ネジ防水締結構造の一実施形態を示す構成図。
【図５】図４に示した第１筐体と第２筐体とがズレたときに皿ネジを傾けて締結した状態を示す図。
【符号の説明】
【００２１】
１０    皿ネジ
１２    頭部
２０    第１筐体
２２    凹部
２４    貫通孔
２６    皿モミ部
３０    第２筐体
３２    ネジ孔
【図１】
0004725304.tif 000002
【図２】
0004725304.tif 000003
【図３】
0004725304.tif 000004
【図４】
0004725304.tif 000005
【図５】
0004725304.tif 000006